(57)【要約】      （修正有）【課題】通常時では、置かれている場所が邪魔にならず且つ分かり易く、非常時には、容易に持ち出すことができる非常用箱を提供する。【解決手段】非常用箱１は、複数の平面状の面部３、４、５、６及び開閉蓋７、８を備えて特定箇所に設置されるように所定形状に形成された箱本体２を設け、箱本体２の一の面部に取っ手２３を設け、箱本体２の各面部には、少なくとも箱本体２が非常用の箱であることを表示する非常用箱表示部２６と箱本体２の使い方を表示する使用説明表示部２７と箱本体２に収納された非常用物品の内容を表示する物品内容表示部２８とを設けている。【選択図】図１
0003162413.tif 000002
【実用新案登録請求の範囲】
【請求項１】
非常用物品を収納するための非常用箱において、複数の平面状の面部及び開閉蓋を備えて特定箇所に設置されるように所定形状に形成される箱本体を設け、この箱本体の一の面部に取っ手を設け、前記箱本体の各面部には少なくとも前記箱本体が非常用の箱体であることを表示する非常用箱表示部と前記箱本体の使い方を表示する使用説明表示部と前記箱本体に収納された非常用物品の内容を表示する物品内容表示部とを設けことを特徴とする非常用箱。
【請求項２】
前記箱本体は、通常時に、前記特定箇所としての本棚に設置される直方体に形成され、前記非常用箱表示部を正面として前記本棚に設置されることを特徴とする請求項１に記載の非常用箱。
【考案の詳細な説明】
【技術分野】
【０００１】
この考案は、非常用箱に係り、特に非常用物品を収納するための非常用箱に関する。 
【背景技術】
【０００２】
家屋等の建物内では、地震等の緊急災害時に備え、緊急救助品等の非常用物品を収納するための非常用箱を設置している。 
一般的に、非常用箱は、建物内で、不要品を収納する場所として、例えば、押入れの中や、タンスの上面、飾り棚の上面等に置かれている。
【先行技術文献】
【特許文献】
【０００３】
【特許文献１】特開２００４−１３５９４４号公報
【０００４】
特許文献１に記載の多機能性枕兼非常持ち出し箱は、枕構造を生かして非常用物品を収納するものである。 
【考案の概要】
【考案が解決しようとする課題】
【０００５】
ところが、従来、非常用箱が不要品を収納する場所に置かれていることから、非常時に、非常用箱の置かれている場所が分からなかったり、非常用箱の持ち出しが困難であったりして、非常用箱の使い勝手が悪く、改善が望まれていた。
【０００６】
そこで、この考案の目的は、通常時に、置かれている場所が邪魔にならず且つ分かり易く、そして、非常時には、容易に持ち出すことのできる非常用箱を提供することにある。
【課題を解決するための手段】
【０００７】
この考案は、非常用物品を収納するための非常用箱において、複数の平面状の面部及び開閉蓋を備えて特定箇所に設置されるように所定形状に形成される箱本体を設け、この箱本体の一の面部に取っ手を設け、前記箱本体の各面部には少なくとも前記箱本体が非常用の箱体であることを表示する非常用箱表示部と前記箱本体の使い方を表示する使用説明表示部と前記箱本体に収納された非常用物品の内容を表示する物品内容表示部とを設けことを特徴とする。
【考案の効果】
【０００８】
この考案の非常用箱は、通常時では、置かれている場所が邪魔にならず且つ分かり易く、そして、非常時には、容易に持ち出すことのできる。
【図面の簡単な説明】
【０００９】
【図１】図１は非常用箱の斜視図である。（実施例１）
【図２】図２（Ａ）は非常用箱表示部の非常用マークの説明図である。図２（Ｂ）は非常用箱表示部の非常用文字の説明図である。（実施例１）
【図３】図３は使用説明表示部の説明図である。（実施例１）
【図４】図４は物品内容表示部の説明図である。（実施例１）
【図５】図５は伝言注意表示部の説明図である。（実施例１）
【図６】図６は非常用箱を置いた本棚の正面図である。（実施例１）
【図７】図７は非常用箱の斜視図である。（実施例２）
【図８】図８（Ａ）は非常用箱表示部の非常用マークの説明図である。図８（Ｂ）は非常用箱表示部の非常用文字の説明図である。（実施例２）
【図９】図９は使用説明表示部の説明図である。（実施例２）
【図１０】図１０は物品内容・伝言注意表示部の説明図である。（実施例２）
【図１１】図１１は使用者用記入欄表示部の説明図である。（実施例２）
【考案を実施するための形態】
【００１０】
この考案は、通常時に、置かれている場所が邪魔にならず且つ分かり易く、そして、非常時には、容易に持ち出すことのできる目的を、通常時に、例えば、本棚に非常用箱表示部を正面として設置して実現するものである。
【実施例１】
【００１１】
図１〜図６は、この考案の実施例１を示すものである。 
図１において、１は地震等の災害時に備えて非常用物品を収納するための非常用箱である。 
この非常用箱１は、特定箇所としての本棚に設置可能な所定形状として、例えば、書籍のＡ４サイズの高さに相当する高さＨ１で且つ所定の幅Ｗ１及び奥行きＤ１の直方体からなる箱本体２を備えている。
この箱本体２は、複数の平面状の面部として、正面部３と背面部４と右側面部５と左側面部６とを備えるとともに、上面部としての上側開閉蓋７を備え、さらに、下面部としての下側開閉蓋８を備えている。
【００１２】
上側開閉蓋７は、右側面部５の上部位の上側折曲部９を中心に上方に開動作するものであり（図１の矢印Ｒ１で示す）、且つ、左側面部６の上部位で上側止め機構１０によって係止される。この上側止め機構１０は、左側面部６の上部の略中央部位で、上下方向の一対の上側切込部１１・１１と水平方向の上側止め具用折曲部１２とで形成されてこの上側止め具用折曲部１２を中心に折り曲げられる（図１の矢印Ｒ２で示す）上側係止具１３と、この上側係止具１３の上側先端部１３Ａを上側開閉蓋７の内面に挿入させる上側差込口１４と、この上側差込口１４の部位で上側開閉蓋７に形成した半円形状の上側指用切欠部１５とを備える。
下側開閉蓋８は、右側面部５の下部位の下側折曲部１６を中心に下方に開動作するものであり（図１の矢印Ｒ３で示す）、且つ、左側面部６の下部位で下側止め機構１７によって係止される。下側止め機構１７は、左側面部６の下部の略中央部位で、上下方向の一対の下側切込部１８・１８と水平方向の下側止め具用折曲部１９とで形成されてこの下側止め具用折曲部１９を中心に折り曲げられる（図１の矢印Ｒ４で示す）下側係止具２０と、この下側係止具２０の下側先端部２０Ａを下側開閉蓋８の内面に挿入させる下側差込口２１と、この下側差込口２１の部位で下側開閉蓋８に形成した半円形状の下側指用切欠部２２とを備える。
【００１３】
箱本体２には、一の面部としての正面部３に、帯状の取っ手２３が設けられる。この取っ手２３は、長手方向が上下方向に指向し、両端部が上側挿入孔２４と下側挿入孔２５とから内部に挿入され、そして、抜け出さないように、その両端部が内部で正面部３の裏面に所定の係止手段で係止されている。
【００１４】
箱本体２の各面部としての、正面部３と背面部４と右側面部５と左側面部６とには、非常用箱表示部２６と使用説明表示部２７と物品内容表示部２８と伝言注意表示部２９とが設けられる。
非常用箱表示部２６は、正面部３に設けられ、取っ手２３の上方の非常用マーク２６Ａ（図２（Ａ）参照）と、取っ手２３の下方の非常用文字２６Ｂ（図２（Ｂ））とを表示する。なお、図２（Ａ）及び図２（Ｂ）に示す非常用マーク２６Ａ及び非常用文字２６Ｂは、一例であって、他の非常用マーク及び非常用文字とすることも可能である。
使用説明表示部２７は、右側面部５に設けられ、非常用箱１の使い方（図３参照）を表示する。なお、図３に示す使い方の表示は、一例であって、他の使い方の表示とすることも可能である。
物品内容表示部２８は、左側面部６に設けられ、持出袋Ｔに入れられた複数の非常用物品Ｐ１〜Ｐ１０の内容（図４参照）を表示する。この場合、非常用物品として、例えば、非常用物品Ｐ１は手回し充電ラジオライトであり、非常用物品Ｐ２はレスキューウォーターであり、非常用物品Ｐ３はアルファ米であり、非常用物品Ｐ４は簡単湯沸か器セットであり、非常用物品Ｐ５は簡易トイレであり、非常用物品Ｐ６はポケットティシュであり、非常用物品Ｐ７は呼び笛であり、非常用物品Ｐ８は軍手・タオルセットであり、非常用物品Ｐ９はサイリュームライトであり、そして、非常用物品Ｐ１０はレスキューシートである。なお、図４に示す物品の内容表示は、一例であって、これらの物品と異なる物品の場合には、他の物品表示にすることも可能である。
伝言注意表示部２９は、背面部４に設けられ、各種の伝言注意事項（図５参照）を表示する。なお、図５に示す伝言注意事項の表示は、一例であって、他の伝言注意事項の表示とすることも可能である。
【００１５】
この非常用箱１は、通常時に、図６に示すように、例えば、建物内の部屋で、特定箇所として、複数の書籍Ｂと並んで本棚３０の棚板３０Ａ上に設置される。
これにより、非常用箱１は、図６に示すように、通常時に、本棚３０において、置かれている場所が邪魔にならず且つ分かり易く設置される。
なお、非常用箱１の本棚３０への設置においては、非常用箱１を本棚３０の奥方で奥行きＤ１の方向を左右方向に配置するとともに、この非常用箱１の手前（正面側）に書籍Ｂを配置することにより、来客があった場合等で、非常用箱１を外部から見えないように隠して設置することが可能である。
そして、非常時には、図３の使用説明表示部２７で表示するように、非常用箱１の取っ手２３を持って非常用箱１を本棚３０から引き抜き、非常用箱１を容易に持ち出すことができる。
【実施例２】
【００１６】
図７〜図１１は、この考案の実施例２を示すものである。 
この実施例２においては、上述の実施例１と同一機能を果たす箇所には同一符号を付して説明する。 
図７において、１は地震等の災害時に備えて非常用物品を収納するための非常用箱である。 
この非常用箱１は、所定形状として、例えば、持ち運びが便利なランチボックス型であって、所定の高さＨ２で且つ幅Ｗ２及び奥行きＤ２の直方体からなる箱本体２を備えている。この箱本体２においては、高さＨ２が上記の実施例１における高さＨ１よりも小さく、また、幅Ｗ２が上記の実施例１における幅Ｗ１よりも大きく、更に、奥行きＤ２が上記の実施例１における奥行きＤ１よりも小さく形成されている。
この箱本体２は、複数の平面状の面部として、正面部３と背面部４と右側面部５と左側面部６とを備えるとともに、上面部としての上側開閉蓋７を備え、さらに、下面部としての下側開閉蓋８を備えている。
【００１７】
上側開閉蓋７は、右側面部５の上部位の上側折曲部９を中心に上方に開動作するものであり（図７の矢印Ｒ１で示す）、且つ、左側面部６の上部位で上側止め機構１０によって係止される。この上側止め機構１０は、左側面部６の上部の略中央部位で、上下方向の一対の上側切込部１１・１１と水平方向の上側止め具用折曲部１２とで形成されてこの上側止め具用折曲部１２を中心に折り曲げられる（図７の矢印Ｒ２で示す）上側係止具１３と、この上側係止具１３の上側先端部１３Ａを上側開閉蓋７の内面に挿入させる上側差込口１４と、この上側差込口１４の部位で上側開閉蓋７に形成した半円形状の上側指用切欠部１５とを備える。
下側開閉蓋８は、右側面部５の下部位の下側折曲部１６を中心に下方に開動作するものであり（図７の矢印Ｒ３で示す）、且つ、左側面部６の下部位で下側止め機構１７によって係止される。下側止め機構１７は、左側面部６の下部の略中央部位で、上下方向の一対の下側切込部１８・１８と水平方向の下側止め具用折曲部１９とで形成されてこの下側止め具用折曲部１９を中心に折り曲げられる（図７の矢印Ｒ４で示す）下側係止具２０と、この下側係止具２０の下側先端部２０Ａを下側開閉蓋８の内面に挿入させる下側差込口２１と、この下側差込口２１の部位で下側開閉蓋８に形成した半円形状の下側指用切欠部２２とを備える。
【００１８】
箱本体２には、一の面部としての正面部３に、帯状の取っ手２３が設けられる。この取っ手２３は、長手方向が上下方向に指向し、両端部が上側挿入孔２４と下側挿入孔２５とから内部に挿入され、そして、抜け出さないように、その両端部が内部で正面部３の裏面に所定の係止手段で係止されている。
【００１９】
箱本体２の各面部としての、正面部３と背面部４と右側面部５と左側面部６とには、非常用箱表示部２６と使用説明表示部２７と物品内容・伝言注意表示部３１と使用者用記入表示部３２とが設けられる。
非常用箱表示部２６は、正面部３に設けられ、取っ手２３の上方の非常用マーク２６Ａ（図８（Ａ）参照）と、取っ手２３の下方の非常用文字２６Ｂ（図８（Ｂ）参照）とを表示する。なお、図８（Ａ）及び図８（Ｂ）に示す非常用マーク２６Ａ及び非常用文字２６Ｂは、一例であって、他の非常用マーク及び非常用文字とすることも可能である。
使用説明表示部２７は、右側面部５に設けられ、非常用箱１の使い方（図９参照）を表示する。なお、図９に示す使い方の表示は、一例であって、他の使い方の表示とすることも可能である。
物品内容・伝言注意表示部３１は、左側面部６に設けられ、複数の非常用物品の内容及び各種の伝言注意事項（図１０参照）を表示する。この場合、非常用物品としては、特に、車両等の外部での使用を考慮して、例えば、簡易トイレ、エチケット用ビニール袋、飲料水、ビスケットやようかん等の食べ物、体温計、絆創膏、圧縮タオル、ウェットティシュ、瞬間冷却剤等がある。なお、図１０に示す伝言注意事項の表示は、一例であって、他の伝言注意事項の表示とすることも可能である。
使用者用記入表示部３２は、上側開閉蓋７に設けられ、使用者の必要事項を記入可能な欄（図１１参照）を表示する。なお、図１０に示す記入可能な欄の内容表示は、一例であって、他の内容表示とすることも可能である。
【００２０】
そして、非常用箱１は、通常時に、実施例１の場合と同様に、本棚３０に設置されたり、ランチボックス型であることから、外部に容易に持ち出すことが可能で、車両の中にも容易に置くことができ、携帯用として簡便に使用できる。
【００２１】
なお、上記の実施例１、２においては、上記の各表示部の内容を、所望により、他の面部に変更することも可能である。 
また、各表示部において、文字の代わりに絵（図柄）を表示したり、文字と絵とを組み合わせて表示させることも可能である。 
【産業上の利用可能性】
【００２２】
この考案に係る非常用箱は、直方体に限らず三角形体等の他の多角形状の箱本体にも適用できる。 
【符号の説明】
【００２３】
１  非常用箱 
２  箱本体 
３  正面部 
４  背面部 
５  右側面部 
６  左側面部 
７  上側開閉蓋 
８  下側開閉蓋 
９  上側折曲部 
１０  上側止め機構 
１７  下側止め機構 
２３  取っ手 
２４  上側挿入孔 
２５  下側挿入孔 
２６  非常用箱表示部 
２７  使用説明表示部 
２８  物品内容表示部 
２９  伝言注意表示部 
３０  本棚 
Ｐ１〜Ｐ１０  非常用物品 
【図１】
0003162413.tif 000003
【図２】
0003162413.tif 000004
【図３】
0003162413.tif 000005
【図４】
0003162413.tif 000006
【図５】
0003162413.tif 000007
【図６】
0003162413.tif 000008
【図７】
0003162413.tif 000009
【図８】
0003162413.tif 000010
【図９】
0003162413.tif 000011
【図１０】
0003162413.tif 000012
【図１１】
0003162413.tif 000013